(57)【要約】【課題】本体に設置された方向ボタンを操作することで、カメラモジュールの回転角度を容易且つ便利に調節し得るモバイル通信装置のカメラモジュール回転角度調節装置を提供する。【解決手段】蓋体１２０の内部に設置された駆動力発生手段２１０と、前記駆動力発生手段２１０の回転軸２１１に回転自在に係合されたプッシュ部材２２０と、前記プッシュ部材２２０により選択的に接触されるようにカメラモジュール１４０に固定されることで該カメラモジュール１４０の回転角度を調節するカメラ回転板２３０と、前記カメラ回転板２３０のピボット（Ｐｉｖｏｔ）の役割を行うように、前記プッシュ部材２２０と前記カメラ回転板２３０とに連結されたピボット部材２４０と、を含んでモバイル通信装置のカメラモジュール回転角度調節装置２００を構成する。【選択図】図２
2004364284.tif 000002
【特許請求の範囲】
【請求項１】
蓋体の内部に設置された駆動力発生手段と、
前記駆動力発生手段の回転軸に回転自在に係合されたプッシュ部材と、
前記プッシュ部材により選択的に接触されるようにカメラモジュールに固定されることで該カメラモジュールの回転角度を調節するカメラ回転板と、
前記カメラ回転板のピボット（Ｐｉｖｏｔ）の役割を行うように、前記プッシュ部材と前記カメラ回転板とに連結されたピボット部材と、を含んで構成されることを特徴とするモバイル通信装置のカメラモジュール回転角度調節装置。
【請求項２】
前記ピボット部材は、
前記カメラ回転板の中心に形成され、中間部にボール係合溝が切削形成されたボスと、
前記ボスのボール係合溝に挿合されるように、前記駆動力発生手段の回転軸に連結されたボール部と、から構成されることを特徴とする請求項１記載のモバイル通信装置のカメラモジュール回転角度調節装置。
【請求項３】
前記ボスは、前記ボール部が前記ボール係合溝に弾力的に挿合されるように、弾性材質から形成されることを特徴とする請求項２記載のモバイル通信装置のカメラモジュール回転角度調節装置。
【請求項４】
前記ボール係合溝の入口の直径は、前記ボール部の直径よりやや小さく形成されることを特徴とする請求項３記載のモバイル通信装置のカメラモジュール回転角度調節装置。
【請求項５】
前記ボール部は、前記プッシュ部材の回転中心部分であることを特徴とする請求項２記載のモバイル通信装置のカメラモジュール回転角度調節装置。
【請求項６】
前記カメラ回転板の下面には、山と谷とが交互に連続して形成され、それら山と谷間には、前記プッシュ部材により加圧される第１〜第４傾斜面が形成されることを特徴とする請求項１記載のモバイル通信装置のカメラモジュール回転角度調節装置。
【請求項７】
前記第１傾斜面と第２傾斜面とは、前記谷を基準に対向して形成され、前記第３傾斜面と第４傾斜面とも、前記谷を基準に対向して形成されることを特徴とする請求項６記載のモバイル通信装置のカメラモジュール回転角度調節装置。
【請求項８】
前記各傾斜面は、４５°の円周角を有して形成されることを特徴とする請求項６記載のモバイル通信装置のカメラモジュール回転角度調節装置。
【発明の詳細な説明】
【技術分野】
【０００１】
本発明は、モバイル通信装置のカメラモジュール回転角度調節装置に関するもので、詳しくは、カメラモジュールの回転角度を調節し得るモバイル通信装置のカメラモジュール回転角度調節装置に関するものである。
【背景技術】
【０００２】
近来、モバイル通信装置（Ｍｏｂｉｌｅ  Ｃｏｍｍｕｎｉｃａｔｉｏｎ  Ｄｅｖｉｃｅ）は、音声やデータを伝送する機能は勿論で、マルチメディア機能及びインターネット機能も提供している。且つ、モバイル通信装置は、小型のカメラモジュールを備えて、該カメラモジュールにより撮影した映像イメージを他のモバイル通信装置に送受信することができる。
【０００３】
ここで、モバイル通信装置とは、携帯電話、個人通信システム（Ｐｅｒｓｏｎａｌ  Ｃｏｍｍｕｎｉｃａｔｉｏｎ  Ｓｙｓｔｅｍｓ；ＰＣＳ）、ＰＤＡ（Ｐｅｒｓｏｎａｌ  Ｄａｔａ  Ａｓｓｉｓｔａｎｔ）装置、ラップトップコンピュータ及び無線通信機能を有するその他の装置を含む概念である。
【０００４】
図１４は、従来のモバイル通信装置を示した斜視図で、図１５は、図１４のＣ−  Ｃ線縦断面図である。
【０００５】
図１４に示したように、従来のモバイル通信装置１は、本体１０と、該本体１０の一方側にヒンジ部３０により揺動自在に設置された蓋体２０と、該蓋体２０の上面に設置されたカメラモジュール４０と、を含んで構成されている。
【０００６】
且つ、図１５に示したように、前記カメラモジュール４０は、前記蓋体２０の上面に切削形成されたカメラ装着溝２１の内部に固定設置され、下方のＦＰＣＢ（Ｆｌｅｘｉｂｌｅ  Ｐｒｉｎｔｅｄ  Ｃｉｒｃｕｉｔ  Ｂｏａｒｄ）４１を介して前記本体１０のメインＰＣＢ（図示せず）に電気的に連結されている。
【発明の開示】
【発明が解決しようとする課題】
【０００７】
しかしながら、このような従来のモバイル通信装置においては、カメラモジュール４０が蓋体２０のカメラ装着溝の底面上に固定されているため、使用者がカメラモジュールの回転角度（または、撮影角度）を調節することが非常に難しいという問題点があった。
【０００８】
即ち、カメラモジュール４０が蓋体２０に固定されているため、使用者が被写体を撮影するためには、カメラモジュールが被写体の前方側に位置するようにモバイル通信装置全体を動かさなければならなく、よって、使用者が動いている被写体を撮影する場合は、被写体を追ってモバイル通信装置を連続的に動かさなければならないため、使用の不便度は甚だしかった。
【０００９】
本発明は、このような従来の課題に鑑みてなされたもので、本体に設置された方向ボタンを操作することで、カメラモジュールの回転角度を容易且つ便利に調節し得るモバイル通信装置のカメラモジュール回転角度調節装置を提供することを目的とする。  
【課題を解決するための手段】
【００１０】
このような目的を達成するため、本発明に係るモバイル通信装置のカメラモジュール回転角度調節装置は、蓋体の内部に設置された駆動力発生手段と、前記駆動力発生手段の回転軸に回転自在に係合されたプッシュ部材と、前記プッシュ部材により選択的に接触されるようにカメラモジュールに固定されることで該カメラモジュールの回転角度を調節するカメラ回転板と、前記カメラ回転板のピボット（Ｐｉｖｏｔ）の役割を行うように、前記プッシュ部材と前記カメラ回転板とに連結されたピボット部材と、を含んで構成されることを特徴とする。
【００１１】
また、前記ピボット部材は、前記カメラ回転板の中心に形成され、中間にボール係合溝が切削されたボスと、該ボスのボール係合溝に挿合されるように、前記駆動力発生手段の回転軸に連結されたボール部と、から構成されることを特徴とする。
【００１２】
本発明によるモバイル通信装置のカメラモジュール回転角度調節装置は、蓋体の内部に設置された駆動力発生手段と、前記駆動力発生手段の回転軸に回転自在に係合されたプッシュ部材と、前記プッシュ部材により選択的に接触されるようにカメラモジュールに固定されることで該カメラモジュールの回転角度を調節するカメラ回転板と、前記カメラ回転板のピボット（Ｐｉｖｏｔ）の役割を行うように、前記プッシュ部材と前記カメラ回転板とに連結されたピボット部材と、を含んで構成されることを特徴とし、それにより上記目的が達成される。
【００１３】
前記ピボット部材は、前記カメラ回転板の中心に形成され、中間部にボール係合溝が切削形成されたボスと、前記ボスのボール係合溝に挿合されるように、前記駆動力発生手段の回転軸に連結されたボール部と、から構成されることを特徴としてもよい。
【００１４】
前記ボスは、前記ボール部が前記ボール係合溝に弾力的に挿合されるように、弾性材質から形成されることを特徴としてもよい。
【００１５】
前記ボール係合溝の入口の直径は、前記ボール部の直径よりやや小さく形成されることを特徴としてもよい。
【００１６】
前記ボール部は、前記プッシュ部材の回転中心部分であることを特徴としてもよい。
【００１７】
前記カメラ回転板の下面には、山と谷とが交互に連続して形成され、それら山と谷間には、前記プッシュ部材により加圧される第１〜第４傾斜面が形成されることを特徴としてもよい。
【００１８】
前記第１傾斜面と第２傾斜面とは、前記谷を基準に対向して形成され、前記第３傾斜面と第４傾斜面とも、前記谷を基準に対向して形成されることを特徴としてもよい。
【００１９】
前記各傾斜面は、４５°の円周角を有して形成されることを特徴としてもよい。
【発明の効果】
【００２０】
本発明に係るモバイル通信装置のカメラモジュール回転角度調節装置においては、使用者が本体に設置された上下左右方向ボタンを操作することで、ステップモータに固定されたプッシュ部材が所定角度回転しながらカメラ回転板の傾斜面を加圧し、このとき、カメラ回転板がボール部を中心として傾きながら、カメラモジュールの回転角度を上下左右側に容易且つ便利に調節し得るという効果がある。
【発明を実施するための最良の形態】
【００２１】
以下、本発明の最良の実施形態について図面に基づいて説明する。
【００２２】
図１に示したように、本発明に係るモバイル通信装置１００は、本体１１０と、該本体１１０の一方側にヒンジ部１３０により揺動自在に設置された蓋体１２０と、該蓋体１２０の上面に切削形成されたカメラ装着溝１２１に挿入固定されたカメラモジュール１４０と、を含んで構成されている。
【００２３】
また、図２〜図５に示したように、本発明に係るモバイル通信装置のカメラモジュール回転角度調節装置２００は、蓋体１２０の内部に挿入設置された駆動力発生手段としてのステップモータ２１０と、該ステップモータ２１０の回転軸２１１に回転自在に係合されたプッシュ部材２２０と、前記カメラモジュール１４０の下面に固定され、前記プッシュ部材２２０により選択的にプッシュされることで前記カメラモジュール１４０の回転角度（または、撮影角度）を調節するカメラ回転板２３０と、該カメラ回転板２３０のピボットの役割を行うように、前記プッシュ部材２２０と前記カメラ回転板２３０とに連結されたピボット部材２４０と、を含んで構成されている。
【００２４】
且つ、前記ピボット部材２４０は、ボールジョイント（Ｂａｌｌ  Ｊｏｉｎｔ）の役割を行うように、前記カメラ回転板２３０の中心に形成され、中間にボール係合溝２４１ａが切削形成されたボス２４１と、該ボス２４１のボール係合溝２４１ａに挿合されるように、前記ステップモータ２１０の回転軸２１１の上方端に連結されたボール部２４２と、から構成されている。
【００２５】
ここで、前記ステップモータ２１０は、ＦＰＣＢ２１２を介してメインＰＣＢ（図示せず）に電気的に連結されている。
【００２６】
また、前記プッシュ部材２２０と対向する前記カメラ回転板２３０の下面には、前記カメラ回転板２３０の円周方向に山２４２ａ及び谷２４２ｂが交互に形成され、それら山２４２ａと谷２４２ｂ間には、前記プッシュ部材２２０により加圧される第１〜第４傾斜面２３１ａ〜２３１ｄがそれぞれ形成されている。
【００２７】
ここで、前記谷２４２ｂを基準として、第１傾斜面２３１ａと第２傾斜面２３１ｂとが、且つ、第３傾斜面２３１ｃと第４傾斜面２３１ｄとがそれぞれ対向して形成されている。図４に示したように、それら第１〜第４傾斜面２３１ａ〜２３１ｄは、前記カメラ回転板２３０のセンターを中心としてそれぞれ４５°の円周角を有するように形成されている。
【００２８】
また、図６に示したように、前記プッシュ部材２２０の長辺の一方端は、前記回転軸２１１の挿合される回転軸挿合溝２２１が係合され、前記プッシュ部材２２０の他方辺端には前記カメラ回転板２３０の第１〜第４傾斜面２３１ａ〜２３１ｄを加圧する加圧面２２２が切削形成されている。
【００２９】
ここで、前記ボール部２４２及び前記プッシュ部材２２０は、別途の部材を組み立てて構成することもできるが、強度及び製造の面で、図６に示したように、一体に形成することが好ましい。
【００３０】
また、図７（Ａ）は、本発明に係るモバイル通信装置のカメラモジュール回転角度調節装置のボール係合溝の入口の直径及びボール部の直径を示した説明図で、図７（Ｂ）は、本発明に係るモバイル通信装置のカメラモジュール回転角度調節装置のボール係合溝にボール部が結合される直前のボスの弾性変形を示した説明図である。
【００３１】
図７（Ａ）に示したように、前記ボール係合溝２４１ａの入口２４１ｂの直径ｄは、前記ボール部２４２の直径Ｄ２よりやや小さく形成される。よって、前記ボス２４１は、前記ボール部２４２が前記ボール係合溝２４１ａに弾力的に挿合されるように、弾性材質から形成される。
【００３２】
即ち、図７（Ｂ）に示したように、前記ボール係合溝２４１ａの入口２４１ｂにボール部２４２を接触させて力を加えると、ボス２４１の先方端の前記ボール係合溝２４１ａの入口２４１ｂが波線で示したように弾性変形し、ボール部２４２がボール係合溝２４１ａに挿合される。
【００３３】
ここで、前記ボール係合溝２４１ａの中心部分の直径Ｄ１は、前記ボール部２４２の直径Ｄ２よりやや大きく形成されるが、これは、前記カメラ回転板２３０がボール部２４２を中心として旋回しながら、前記カメラモジュール１４０の回転角度を調節し得るようにするためである。
【００３４】
このように構成された本発明に係るモバイル通信装置のカメラモジュール回転角度調節装置２００においては、使用者が本体１１０に設置された操作ボタン（図示せず）を操作してカメラモジュール１４０により被写体（図示せず）を撮影した後、その映像を相手方のモバイル通信装置に送信する。
【００３５】
動く被写体を撮影するか、または他の被写体を撮影するためにカメラモジュール１４０の回転角度を変更する必要がある場合、使用者は、本体１１０に設置された方向ボタン（図示せず）を操作して、ステップモータ２１０を正回転または逆回転させることで、カメラモジュール１４０の撮影角度を調節する。
【００３６】
以下、図８〜図１３に基づいて、ステップモータ２１０の正回転力または逆回転力を利用してカメラモジュール１４０の回転角度を上下左右に調節する動作を説明する。
【００３７】
まず、図８は、本発明に係るモバイル通信装置のカメラモジュール回転角度調節装置のカメラモジュールが角度調節されず、カメラ回転板のセンターラインに置かれた状態を示した斜視図、図９は、図８の側面図で、図示されたように、プッシュ部材２２０が第１傾斜面２３１ａと第２傾斜面２３１ｂ間に位置されると、前記プッシュ部材２２０の加圧面２２２が前記第１傾斜面２３１ａ及び第２傾斜面２３１ｂに接触されないことで、カメラモジュール１４０がカメラ回転板２３０のセンターラインＬｃに位置される。
【００３８】
図１０は、カメラモジュールを右側に角度調節する動作を示した説明図で、図１１は、カメラモジュールを左側に角度調節する動作を示した説明図である。
【００３９】
図１０に示したように、使用者が本体１１０の右側方向ボタン（図示せず）を押圧すると、図２に示したステップモータ２１０の回転軸２１１が図の反時計方向（正方向）に所定角度回転され、回転軸２１１に係合されたプッシュ部材２２０は図の左側に動く。
【００４０】
このとき、前記プッシュ部材２２０の加圧面２２２が前記回転板（図２参照）の下面の第１傾斜面２３１ａを加圧する。よって、ボール部２４２を中心として、回転板２３０の下面が左側に動き、回転板２３０の上面（カメラモジュール１４０が固定される面）は右側に旋回しながら、カメラモジュール１４０を右側に動かす。このように、前記回転板２３０の下面と上面とが相互反対方向に動く理由は、該回転板２３０の回転中心が該回転板２３０の下面と上面間に位置され、該回転板２３０が所定角度に旋回するためである。
【００４１】
逆に、図１１に示したように、使用者が本体１１０の左側方向ボタン（図示せず）を押圧すると、図２に示したステップモータ２１０の回転軸２１１が図の時計方向（逆方向）に所定角度回転され、回転軸２１１に係合されたプッシュ部材２２０は図の右側に動く。
【００４２】
このとき、前記プッシュ部材２２０の加圧面２２２が前記回転板（図２参照）の下面の第２傾斜面２３１ｂを加圧する。よって、ボール部２４２を中心として、回転板２３０の下面が右側に動き、回転板２３０の上面（カメラモジュール１４０が固定される面）は左側に旋回しながら、カメラモジュール１４０を左側に動かす。
【００４３】
また、図１２は、カメラモジュールを上側に角度調節する動作を示した説明図で、図１３は、カメラモジュールを下側に角度調節する動作を示した説明図である。
【００４４】
図１２に示したように、使用者が本体１１０の上側方向ボタン（図示せず）を押圧すると、図２に示したステップモータ２１０の回転軸２１１が図の時計方向に所定角度回転され、回転軸２１１に係合されたプッシュ部材２２０は図の下側に動く。
【００４５】
このとき、前記プッシュ部材２２０の加圧面２２２が前記回転板（図２参照）の下面の第３傾斜面２３１ｃを加圧する。よって、ボール部２４２を中心として、回転板２３０の下面が下側に動き、回転板２３０の上面（カメラモジュール１４０が固定される面）は上側に旋回しながら、カメラモジュール１４０を上側に動かす。
【００４６】
逆に、図１３に示したように、使用者が本体１１０の下側方向ボタン（図示せず）を押圧すると、図２に示したステップモータ２１０の回転軸２１１が図の反時計方向に所定角度回転され、回転軸２１１に係合されたプッシュ部材２２０は図の上側に動く。
【００４７】
このとき、前記プッシュ部材２２０の加圧面２２２が前記回転板（図２参照）の下面の第４傾斜面２３１ｄを加圧する。よって、ボール部２４２を中心として、回転板２３０の下面が上側に動き、回転板２３０の上面（カメラモジュール１４０が固定される面）は下側に旋回しながら、カメラモジュール１４０を下側に動かす。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４９】
【図１】本発明に係るモバイル通信装置を示した斜視図である。
【図２】図１のＡ−Ａ線縦断面図である。
【図３】本発明に係るモバイル通信装置のカメラモジュール回転角度調節装置のカメラ回転板を示した斜視図である。
【図４】図３のカメラ回転板を示した正面図である。
【図５】図４のＢ−Ｂ線縦断面図である。
【図６】本発明に係るモバイル通信装置のカメラモジュール回転角度調節装置のプッシュ部材及びボール部を示した斜視図である。
【図７】本発明に係るモバイル通信装置のカメラモジュール回転角度調節装置のボール係合溝及びボール部を示した図で、（Ａ）は、ボール係合溝の入口の直径及びボール部の直径を示した説明図で、（Ｂ）は、ボール係合溝にボール部が係合される直前のボスの弾性変形を示した説明図である。
【図８】本発明に係るモバイル通信装置のカメラモジュール回転角度調節装置のカメラモジュールが角度調節されず、カメラ回転板のセンターラインに置かれた状態を示した斜視図である。
【図９】図８の側面図である。
【図１０】カメラモジュールを右側に角度調節する動作を示した説明図である。
【図１１】カメラモジュールを左側に角度調節する動作を示した説明図である。
【図１２】カメラモジュールを上側に角度調節する動作を示した説明図である。
【図１３】カメラモジュールを下側に角度調節する動作を示した説明図である。
【図１４】従来のモバイル通信装置を示した斜視図である。
【図１５】図１４のＣ−  Ｃ線縦断面図である。
【符号の説明】
【００５０】
１００  モバイル通信装置
１１０  本体
１２０  蓋体
１２１  カメラ装着溝
１３０  ヒンジ部
１４０  カメラモジュール
２００  カメラモジュール回転角度調節装置
２１０  ステップモータ
２１１  回転軸
２２０  プッシュ部材
２２１  回転軸挿合溝
２２２  加圧面
２３０  カメラ回転板
２３１ａ  第１傾斜面
２３１ｂ  第２傾斜面
２３１ｃ  第３傾斜面
２３１ｄ  第４傾斜面
２４０  ピボット部材
２４１  ボス
２４１ａ  ボール係合溝
２４１ｂ  ボール係合溝の入口
ｄ  ボール係合溝の入口の直径
Ｄ１  ボール係合溝の中心部分の直径
Ｄ２  ボール部の直径
２４２  ボール部
２４２ａ  山
２４２ｂ  谷
【図１】
2004364284.tif 000003
【図２】
2004364284.tif 000004
【図３】
2004364284.tif 000005
【図４】
2004364284.tif 000006
【図５】
2004364284.tif 000007
【図６】
2004364284.tif 000008
【図７】
2004364284.tif 000009
【図８】
2004364284.tif 000010
【図９】
2004364284.tif 000011
【図１０】
2004364284.tif 000012
【図１１】
2004364284.tif 000013
【図１２】
2004364284.tif 000014
【図１３】
2004364284.tif 000015
【図１４】
2004364284.tif 000016
【図１５】
2004364284.tif 000017